(57)【特許請求の範囲】
【請求項１】
データを磁気記録するための磁気記録帯が設けられ、エンボス加工によって長辺側のエッジと平行に文字列が凹凸表示されている磁気カードにおいて、
前記長辺側のエッジから所定距離の位置を該エッジと平行に通過する線と交わる前記文字列の凹凸の特徴を表す特徴データが前記磁気記録帯に予め記憶されており、さらに、該特徴データが、前記線と交わる文字列の隣合う凸部分同士または隣合う凹部分同士の長さまたは高さの比較結果を２値化して得られるデータ、隣合う凸部分同士または隣合う凹部分同士の長さまたは高さの差あるいは比を２値化して得られるデータ、あるいは、それらのデータを組合せたデータであることを特徴とする磁気カード。
【発明の詳細な説明】
【０００１】
【発明の属する技術分野】
本発明は、データを磁気記録するための磁気記録帯が設けられ、エンボス加工によって長辺側のエッジと平行に文字列が凹凸表示されている磁気カードにおいて、正規カードに磁気記録されているデータを他のカードに複写した不正カードの利用を防止するための技術に関する。
【０００２】
【従来の技術】
クレジットカードや銀行のキャッシュカード等の磁気カードは、合成樹脂のカード基板の一面または両面に磁性体からなる磁気記録帯が設けられ、この磁気記録帯にクレジット番号や銀行の口座番号を含むデータが磁気記録されている。
【０００３】
【発明が解決しようとする課題】
ところが、このような従来の磁気カードにおいて、正規の磁気カードの磁気記録帯に記録されているデータが他のカードの磁気記録帯に複写されて不正に使用されるという問題が発生している。
【０００４】
本発明は、この問題を解決して、データの複写による不正使用を防止することができる磁気カードを提供することを目的としている。
【０００５】
【課題を解決するための手段】
前記目的を達成するために、本発明の磁気カードは、
データを磁気記録するための磁気記録帯が設けられ、エンボス加工によって長辺側のエッジと平行に文字列が凹凸表示されている磁気カードにおいて、
前記長辺側のエッジから所定距離の位置を該エッジと平行に通過する線と交わる前記文字列の凹凸の特徴を表す特徴データが前記磁気記録帯に予め記憶されており、さらに、該特徴データが、前記線と交わる文字列の隣合う凸部分同士または隣合う凹部分同士の長さまたは高さの比較結果を２値化して得られるデータ、隣合う凸部分同士または隣合う凹部分同士の長さまたは高さの差あるいは比を２値化して得られるデータ、あるいは、それらのデータを組合せたデータであることを特徴としている。
【０００６】
【発明の実施の形態】
以下、図面に基づいて本発明の実施の形態を説明する。
図１は、本発明を実施した磁気カード２０の外観を示している。
【０００７】
図１に示しているように、外形がほぼ長方形状に形成された合成樹脂製の磁気カード２０の一面２０ａ側には、エンボス加工によって他面２０ｂ側から押し出すようにして凹凸で表示された文字列（文字、数字、記号を含むものとする）２１が、一方の長辺側のエッジ２０ｃと平行に且つそのエッジ２０ｃから所定の距離範囲に形成されている。
【０００８】
この文字列２１は、例えばクレジット番号、口座番号、個人名称等のようにそれぞれの磁気カードに固有のものであり、また、突出する高さや幅等の寸法もカード個々でばらつきがある。
【０００９】
また、磁気カード２０の両面（またはどちらか片面）には、データを磁気記録するための磁気記録帯２２、２３が、長辺側のエッジ２０ｃと平行に形成されている。
【００１０】
一方の磁気記録帯２２には、クレジット番号あるいは銀行の口座番号を含むデータＤａが磁気記録されており、他方の磁気記録帯２３には、長辺側のエッジ２０ｃから所定距離Ｌｒの位置をそのエッジ２０ｃと平行に通過する線Ｒと交わる文字列２１の凹凸の特徴を表す特徴データＤｂが予め記憶されている。
【００１１】
この特徴データＤｂとしては、線Ｒと交わる文字列２１の隣り合う凸部分や凹部分の長さの比較結果を２値化して得られるデータ、隣合う凸部分の高さの比較結果を２値化して得られるデータ、隣合う凸部分や凹部分の長さ、高さの差や比を２値化して得られるデータ、あるいはこれらのデータを組み合わせたデータを用いることができる。
【００１２】
例えば、線Ｒと交わる文字列２１の隣り合う凸部分の長さの比較結果を２値化して特徴データＤｂを求める場合について説明すると、エンボス加工による文字列２１のうち、線Ｒと交わる部分の凹凸の状態が図２の（ａ）になっている場合、最初の凸部分の長さＬａ１より２番目の凸部分の長さＬａ２が長いので、図２の（ｂ）のように、特徴データＤｂの第ｌビット目を「１」とし、この２番目の凸部分の長さＬａ２より３番目の凸部分の長さＬａ３が短いので、特徴データＤｂの第２ビット目を「０」とする。以下同様に凸部分の長さの比較結果を２値化することで、線Ｒと交わる、即ち、エッジ２０ｃから所定距離Ｌｒにおける文字列２１の凹凸の特徴を表す特徴データＤｂが得られる。
【００１３】
なお、図２の（ｃ）は、凹部分の長さＬｂ１、Ｌｂ２、Ｌｂ３、…の比較結果を２値化した場合に得られる特徴データＤｂを示している。
【００１４】
また、上記のように、隣合う凸部分や凹部分の長さの比較結果を２値化して特徴データＤｂを得る場合、長さがほぼ等しい場合（長さの差が許容範囲内の場合）には、データ「０」、「１」のうち、予め決められた一方のデータを特徴データＤｂのビットデータとする。
【００１５】
このように構成された磁気カード２０では、この磁気カード２０を読み取る読取装置側で検出した前記線Ｒの位置における凹凸の特徴を表す特徴データＤｂ′と、磁気記録帯２３から読み取った特徴データＤｂとが必ず一致（またはほぼ一致）するので、この磁気カード２０を正規のカードとして処理することができる。
【００１６】
また、このように構成された正規の磁気カード２０の磁気記録帯２２、２３に記録されているデータＤａ、Ｄｂを別の磁気カードの磁気記録帯に複写して不正カードを作成しても、読取装置側で検出した線Ｒの位置における凹凸の特徴とそのカードの磁気記録帯から読み取った特徴データＤｂとが一致しない（あるいは大きく相違する）ので、そのカードを不正なカードと判定することができ、この不正なカードの使用を防止できる。
【００１７】
なお、ここでは、両面に磁気記録帯２２、２３が設けられている磁気カード２０について説明したが、一方の面だけに磁気記録帯が設けられている磁気カードの場合には、その磁気記録帯にエンボス加工による文字列の凹凸の特徴を表す特徴データＤｂを他のデータＤａとともに記録する。
【００１８】
【発明の効果】
以上説明したように、本発明の磁気カードは、
データを磁気記録するための磁気記録帯が設けられ、エンボス加工によって長辺側のエッジと平行に文字列が凹凸表示されている磁気カードにおいて、
前記長辺側のエッジから所定距離の位置を該エッジと平行に通過する線と交わる前記文字列の凹凸の特徴を表す特徴データが前記磁気記録帯に予め記憶されており、さらに、該特徴データが、前記線と交わる文字列の隣合う凸部分同士または隣合う凹部分同士の長さまたは高さの比較結果を２値化して得られるデータ、隣合う凸部分同士または隣合う凹部分同士の長さまたは高さの差あるいは比を２値化して得られるデータ、あるいは、それらのデータを組合せたデータであることを特徴としている。
【００１９】
このため、磁気カードのエンボス加工によって凹凸で表示されている文字列の長辺側のエッジから所定距離の位置における凹凸の特徴と磁気記録帯に記録されている特徴データとを照合することで、その磁気カードの正偽を判別することができ、磁気記録されているデータの複写による不正使用を確実に防止することができる。
【図面の簡単な説明】
【図１】本発明の実施形態の磁気カードの外観を示す図
【図２】磁気カードのエンボス加工による凹凸の状態と特徴データの一例を示す図
【符号の説明】
２０  磁気カード
２０ａ  一面
２０ｂ  他面
２０ｃ  長辺側エッジ
２１  エンボス加工による文字列
２２、２３  磁気記録帯
【図１】
0004746743.tif 000002
【図２】
0004746743.tif 000003